(57)【特許請求の範囲】
【請求項１】
箱体の前，背面の開口をそれぞれ前面扉及び背面扉により開閉自在に閉塞し、
前記箱体の下部の左，右にＵ形鋼からなる下部盤枠体を前後方向に設け、
前記箱体の上部の左，右にＵ形鋼からなる上部盤枠体をそれぞれの開口を互いに向き合わせて前後方向に設け、
前記両上部盤枠体の下片間に前記両上部盤枠体の前部及び後部を残して底板を設け、
前記両上部盤枠体の上片間に天井板を兼ねた蓋を設け、
前記両上部盤枠体，前記底板及び前記蓋により配線室を形成し、
前記箱体の後部の底面から引き込まれた制御ケーブルを前記箱体の後部に設けられた引き込み端子台の背面に接続し、
複数本の低圧の制御配線を前記配線室内に前後方向に配線し、
前記制御配線の後端を前記底板の後縁から下方に降ろして前記引き込み端子台の前面に接続し、
前記制御配線の前端を前記底板の前縁から下方に降ろして箱間中継端子台，扉渡り端子台に接続したスイッチギヤ。
【発明の詳細な説明】
【０００１】
【産業上の利用分野】
本発明は、内部に低圧の制御配線を配線する屋内形及び屋外形の高低圧スイッチギヤに関する。
【０００２】
【従来の技術】
従来のスイッチギヤについて図３を参照して説明する。同図において、１はスイッチギヤの箱体、２，３は箱体１の前，背面の開口をそれぞれ、開閉自在に閉塞した前面扉及び背面扉、４，５は箱体１内の前部の上，下に設けられた接地変圧器及び遮断器、６は箱体１の下部の左，右に前後方向に設けられ，上面が開口したＵ形鋼（みぞ形鋼）からなる下部盤枠体、７は箱体１の上部の左，右に前後方向に設けられ，下面が開口したＵ形鋼からなる上部盤枠体、８は一片が下部盤枠体６の上面を閉塞した断面Ｌ形の蓋、９は蓋８の他片を箱体１の側壁に固定したボルト、１０は一片が上部盤枠体７の下面を閉塞した断面Ｌ形の蓋、１１は蓋１０の他片を箱体１の側壁に固定したボルトであり、蓋８，１０は盤枠体６，７の前部及び後部を残して盤枠体６，７を覆っている。
【０００３】
１２は箱体１の後部の底面から引き込まれた制御ケーブル、１３は箱体１の後部に設けられ，背面に制御ケーブル１２が接続された引き込み端子台、１４は後端が引き込み端子台１３の前面に接続された複数本の低圧の制御配線であり、上，下にかつ左，右に分散され、上，下の盤枠体７，６と蓋１０，８とにより、囲まれた上，下の左，右の空間に配線され、前端が箱体１の前部に位置している。１５，１６は箱体１の前部の上，下に設けられ，配線１４の前端が接続された箱間中継端子台，扉渡り端子台である。
【０００４】
【発明が解決しようとする課題】
従来の前記スイッチギヤの場合、盤枠体６，７と蓋８，１０とに囲まれた上，下の左，右の空間に制御配線１４を配線しているため、配線１４の本数が制限され、必要数の配線１４を無理に配線していることが多いという問題点がある。
さらに、上，下の左，右のどの部分にどの制御配線１４を配線するのか検討する必要があり、作業時間も長くなるという問題点がある。
本発明は、前記の点に留意し、配線の本数が制限されることがなく、作業時間も短くなるスイッチギヤを提供することを目的とする。
【０００５】
【課題を解決するための手段】
前記課題を解決するために、本発明のスイッチギヤは、箱体の前，背面の開口をそれぞれ前面扉及び背面扉により開閉自在に閉塞し、前記箱体の下部の左，右にＵ形鋼からなる下部盤枠体を前後方向に設け、前記箱体の上部の左，右にＵ形鋼からなる上部盤枠体をそれぞれの開口を互いに向き合わせて前後方向に設け、前記両上部盤枠体の下片間に前記両上部盤枠体の前部及び後部を残して底板を設け、前記両上部盤枠体の上片間に天井板を兼ねた蓋を設け、前記両上部盤枠体，前記底板及び前記蓋により配線室を形成し、前記箱体の後部の底面から引き込まれた制御ケーブルを前記箱体の後部に設けられた引き込み端子台の背面に接続し、複数本の低圧の制御配線を前記配線室内に前後方向に配線し、前記制御配線の後端を前記底板の後縁から下方に降ろして前記引き込み端子台の前面に接続し、前記制御配線の前端を前記底板の前縁から下方に降ろして箱間中継端子台，扉渡り端子台に接続したものである。
【０００６】
【作用】
前記のように構成された本発明のスイッチギヤは、箱体の前，背面の開口をそれぞれ前面扉及び背面扉により開閉自在に閉塞し、前記箱体の下部の左，右にＵ形鋼からなる下部盤枠体を前後方向に設け、前記箱体の上部の左，右にＵ形鋼からなる上部盤枠体をそれぞれの開口を互いに向き合わせて前後方向に設け、前記両上部盤枠体の下片間に前記両上部盤枠体の前部及び後部を残して底板を設け、前記両上部盤枠体の上片間に天井板を兼ねた蓋を設け、前記両上部盤枠体，前記底板及び前記蓋により配線室を形成し、前記箱体の後部の底面から引き込まれた制御ケーブルを前記箱体の後部に設けられた引き込み端子台の背面に接続し、複数本の低圧の制御配線を前記配線室内に前後方向に配線し、前記制御配線の後端を前記底板の後縁から下方に降ろして前記引き込み端子台の前面に接続し、前記制御配線の前端を前記底板の前縁から下方に降ろして箱間中継端子台，扉渡り端子台に接続したため、配線室の断面積を大きくすることができ、配線の本数が制限されることがなく、また、どの部分に配線を通すのか検討する必要がなく、作業時間も短くなる。
さらに、低圧の制御配線が主回路から隔離されているため、低圧の制御配線のみの変更が容易にできる。
その上、配線室が、前面開口が前面扉により、背面開口が背面扉によりそれぞれ開閉自在に閉塞された箱体の、上部の左，右に前後方向に設けられ、それぞれの開口が互いに向き合ったＵ形鋼からなる上部盤枠体と、両上部盤枠体の下片間に両上部盤枠体の前部及び後部を残して設けられた底板と、両上部盤枠体の上片間に設けられた天井板を兼ねた蓋とにより形成されているため、配線室を簡単に強固に形成することができ、かつ、配線室の両側面がＵ形鋼からなる両上部盤枠体であるため、スイッチギヤごとに天井部の配線室が閉鎖されており、事故時の列盤への波及を制限することができる。
【０００７】
【実施例】
１実施例について図１を参照して説明する。同図において、図３と同一符号は同一もしくは相等するものを示し、異なる点はつぎの通りである。
１７は箱体１の上部の左，右に前後方向に設けられたＵ形鋼からなる上部盤枠体であり、それぞれの開口が互いに向き合い、盤枠体１７の高さは５０ｍｍ程度である。１８は両上部盤枠体１７の下片間に両上部盤枠体１７の前部及び後部を残して設けられた底板、１９は両上部盤枠体１７の上片間に設けられた蓋であり、両上部盤枠体１７，底板１８及び蓋１９より配線室２０が形成され、蓋１９がスイッチギヤの天井板を兼ねている。
【０００８】
そして、この配線室２０内に低圧の制御配線１４が前後方向に配線され、底板１８の前縁及び後縁から制御配線１４が下方に降ろされ，従来と同様に配線１４の前端及び後端が箱間中継端子台１５，扉渡り端子台１６及び引込端子台１３にそれぞれ接続されている。
【０００９】
つぎに、他の実施例について図２を参照して説明する。同図は、スイッチギヤに換気孔が必要な場合であり、配線室２０の底板１８の中央に左，右への切り起こしによる折曲片２１を形成し、底板換気孔２２を形成し、さらに蓋１９の底板換気孔２２の上方に蓋換気孔２３を形成し、外部との換気を行っている。この時、各配線１４は両折曲片２１の外側に分散され、両換気孔２２，２３と隔離されている。
【００１０】
【発明の効果】
本発明は、以上説明したように構成されているので、以下に記載する効果を奏する。
本発明のスイッチギヤは、箱体１の前，背面の開口をそれぞれ前面扉２及び背面扉３により開閉自在に閉塞し、箱体１の下部の左，右にＵ形鋼からなる下部盤枠体６を前後方向に設け、箱体１の上部の左，右にＵ形鋼からなる上部盤枠体１７をそれぞれの開口を互いに向き合わせて前後方向に設け、両上部盤枠体１７の下片間に両上部盤枠体１７の前部及び後部を残して底板１８を設け、両上部盤枠体１７の上片間に天井板を兼ねた蓋１９を設け、両上部盤枠体１７，底板１８及び蓋１９により配線室２０を形成し、箱体１の後部の底面から引き込まれた制御ケーブル１２を箱体１の後部に設けられた引き込み端子台１３の背面に接続し、複数本の低圧の制御配線１４を配線室２０内に前後方向に配線し、制御配線１４の後端を底板１８の後縁から下方に降ろして引き込み端子台１３の前面に接続し、制御配線１４の前端を底板１８の前縁から下方に降ろして箱間中継端子台１５，扉渡り端子台１８に接続したため、配線室２０の断面積を大きくすることができ、配線１４の本数が制限されることがなく、また、どの部分に配線１４を通すのか検討する必要がなく、作業時間も短くすることができる。
さらに、低圧の制御配線１４が主回路から隔離されているため、低圧の制御配線１４のみの変更を容易にすることができる。
その上、配線室２０が、前面開口が前面扉２により、背面開口が背面扉３によりそれぞれ開閉自在に閉塞された箱体１の、上部の左，右に前後方向に設けられ、それぞれの開口が互いに向き合ったＵ形鋼からなる上部盤枠体１７と、両上部盤枠体１７の下片間に両上部盤枠体１７の前部及び後部を残して設けられた底板１８と、両上部盤枠体１７の上片間に設けられた天井板を兼ねた蓋１９とにより形成されているため、配線室２０を簡単に強固に形成することができ、かつ、配線室２０の両側面がＵ形鋼からなる両上部盤枠体１７であるため、スイッチギヤごとに天井部の配線室２０が閉鎖されており、事故時の列盤への波及を制限することができる。
【図面の簡単な説明】
【図１】Ａ，Ｂは本発明の１実施例の一部の切断正面図，切断側面図である。
【図２】Ａ，Ｂは図１の本発明の他の実施例の一部の切断正面図，切断平面図である。
【図３】Ａ，Ｂは従来例の一部の切断正面図，切断側面図である。
【符号の説明】
１４  制御配線
１７  上部盤枠体
１８  底板
１９  蓋
２０  配線室
【図１】
0003804076.tif 000002
【図２】
0003804076.tif 000003
【図３】
0003804076.tif 000004